(57)【要約】【課題】中に液体を入れた場合でも皿の外周壁とフタの内面との接触部分の隙間から容器外部に液体が漏れ難いようにした容器を提供する。【解決手段】容器は、円形平底の皿１０と、皿１０に被せる円形のフタ２０とからなる。フタ２０を皿１０に被せたときに皿１０の外周壁１１の内側に位置する内周壁２２をフタ２０に設けるとともに、フタ２０の内周壁２２の内側に位置する内周壁１２を皿１０に設けた。更に、フタ２０の上面に皿１０を載せるための凹部２３を形成した。皿１０に液体を入れると、液体は皿１０の内周壁１２の内側に溜まり、この内周壁１２の外側にフタ２０の内周壁２２が位置する。従って、液体はフタ２０の内周壁２２よりも内側に溜まることになるので、液体はフタ２０の外周壁２１と内周壁２２との間に一層入り難くなり、容器外部への液体漏れが殆ど生じない。【選択図】      図７
2004262469.tif 000002
【特許請求の範囲】
【請求項１】
外周壁を有する皿と、この皿に被せたときに皿の外周壁の外側に位置する外周壁を有するフタとからなる容器において、
フタを皿に被せたときに皿の外周壁の内側に位置する内周壁をフタに設けたことを特徴とする容器。
【請求項２】
フタを皿に被せたときに前記フタの内周壁の内側に位置する内周壁を皿に設けたことを特徴とする請求項１記載の容器。
【請求項３】
外周壁を有する皿と、この皿に被せたときに皿の外周壁の外側に位置する外周壁を有するフタとからなる容器において、
皿の外周壁の内側に位置する内周壁を皿に設けたことを特徴とする容器。
【請求項４】
フタの上面に皿を載せるための凹部を形成したことを特徴とする請求項１、請求項２又は請求項３記載の容器。
【発明の詳細な説明】
【０００１】
【発明の属する技術分野】
この発明は、細菌や種々の細胞（動物、植物、微生物）等の培養や他の種々の検査等に使用される容器に関する。
【０００２】
【従来の技術】
その種の容器は、ヒトを含む動物・植物・微生物（カビ、酵母等の真菌類、細菌等）等の細胞を培養する培養地や他の種々の検査用として使用されたり、アルコールを浸した脱脂綿を敷いた滅菌器などとして使用される。そのような容器は、図１２〔断面図（ａ）、要部拡大断面図（ｂ）〕に示すように、一般的に、プラスチック製（又はガラス製）の円形平底の皿（本体）５０と、この皿５０に被せるプラスチック製（又はガラス製）の円形のフタ６０とからなる。皿５０にフタ６０を被せた状態では、皿５０の外周壁５１の外側にフタ６０の外周壁６１が位置する。
【０００３】
このような容器は、シャーレ状容器であり、円筒状の本体と、本体の上に被せられる当該本体より径の大きいフタとからなるのが普通である（特許文献１参照）。
【０００４】
【特許文献１】
特開昭５６−２９９９０号公報（第３頁右上欄の第１２行〜第１５行、第１図）
【０００５】
【発明が解決しようとする課題】
ところで、この種の容器では、図１２には特に示していないが、皿５０はフタ６０をしても完全な密閉状態にはならず、空気流路の確保などのために、皿５０の外周壁５１とフタ６０の内面との接触部分には部分的に僅かな隙間が生じるようになっている。
【０００６】
このため、特に中に液体を入れた容器の場合、装置等で自動搬送するときに振動等で液体が容器の中で飛び散ることがある。飛散液はフタ６０の内面に付着し、更に皿５０の外周壁５１とフタ６０の内面との接触部分の隙間から皿５０の外周壁５１の外面やフタ６０の外周壁６１の内面を伝って容器外部に漏れることがある。
【０００７】
また、中に液体を入れた容器では、振動（特に横揺れ）により液体に波が生じ、この波が皿５０の外周壁５１とフタ６０の内面との接触部分の隙間から皿５０の外周壁５１の外面やフタ６０の外周壁６１の内面を伝って容器外部に漏れることもある。
【０００８】
容器の中の液体の種類によってはバイオハザードを引き起こす可能性も否定できない。そこまでに至らなくとも、液体漏れは周囲環境の汚染（コンタミ）等につながるため好ましくない。
【０００９】
この発明は、そのような問題点に着目してなされたものであって、中に液体を入れた場合でも皿の外周壁とフタの内面との接触部分の隙間から容器外部に液体が漏れ難いようにした容器を提供することを目的としている。
【００１０】
【課題を解決するための手段】
前記目的を達成するために、この発明の請求項１記載の容器は、外周壁を有する皿と、この皿に被せたときに皿の外周壁の外側に位置する外周壁を有するフタとからなるものにおいて、フタを皿に被せたときに皿の外周壁の内側に位置する内周壁をフタに設けたことを特徴とする。
【００１１】
この容器では、皿にフタをすると、フタの内周壁が皿の外周壁の内側に位置する。つまり、皿の外周壁がフタの外周壁と内周壁との間に入る。このため、中に液体を入れた場合で、液体が飛び散ると、飛散液はフタの内面や内周壁に付着するが、その付着した飛散液はフタの内周壁を伝って皿に滴下し、皿の外周壁とフタの内面との接触部分の隙間には浸入し難いので、容器外部への液体漏れが生じ難い。また、振動（特に横揺れ）により液体に波が生じても、フタの内周壁が防波壁の役目を果たすので、波が皿の外周壁とフタの内面との接触部分の隙間には浸入し難く、容器外部への液体漏れが生じ難い。
【００１２】
この構成に加えて、フタを皿に被せたときにフタの内周壁の内側に位置する内周壁を皿に設けることで、液体漏れの防止効果がより高まる。すなわち、皿に液体を入れると、液体は皿の内周壁の内側に溜まり、この皿の内周壁の外側にフタの内周壁が位置する。従って、液体はフタの内周壁よりも内側に溜まることになるので、飛散液や波状液はフタの外周壁と内周壁との間に一層入り難くなり、容器外部への液体漏れが殆ど生じなくなる。
【００１３】
一方、請求項３記載の容器は、外周壁を有する皿と、この皿に被せたときに皿の外周壁の外側に位置する外周壁を有するフタとからなるものにおいて、皿の外周壁の内側に位置する内周壁を皿に設けたことを特徴とする。
【００１４】
この容器では、皿が外周壁と内周壁の２重壁構造になっているので、液体を内周壁の内側に入れれば、振動や横揺れ等により内周壁を越えた液体は外周壁と内周壁との間に溜まり、皿の外周壁とフタの内面との接触部分の隙間には浸入し難くなり、容器外部への液体漏れが生じ難い。
【００１５】
これらの容器において、フタの上面に皿を載せるための凹部を形成すれば、一方の容器のフタの上に他方の容器の皿を載せることで、複数個の容器を積み重ねることができ、複数個の容器を運ぶのが楽になる。勿論、皿はフタの凹部に嵌まっているので、多少傾けた位では容器がずり落ちるようなことはない。
【００１６】
なお、本発明の容器は、種々の細胞等の培養地や種々の検査用などとして使用されるが、ここでいう容器とは、シャーレ、ディッシュ、培養容器等を含む。
【００１７】
【発明の実施の形態】
以下、実施の形態により、この発明を更に詳細に説明する。
【００１８】
一実施形態に係る容器の皿を図１〔断面図（ａ）、底面図（ｂ）〕に、フタを図２〔断面図（ａ）、内側から見た平面図（ｂ）〕に、フタを皿に被せたときの要部拡大断面図を図３に示す。
【００１９】
この容器は、プラスチック製（又はガラス製）の円形平底の皿１０と、プラスチック製（又はガラス製）の円形のフタ２０とからなる。皿１０は外周壁１１を有し、フタ２０は外周壁２１と内周壁２２を有する。フタ２０の内周壁２２は、外周壁２１と同心円上に設けられており、フタ２０を皿１０に被せたときに皿１０の外周壁１１の内側に位置する。図３から明らかなように、フタ２０の内周壁２２は、皿１０の外周壁１１の中間当たりまで延びている。また、フタ２０の上面に皿１０を載せるための円形の凹部２３が形成されている。
【００２０】
図１の（ｂ）において、この容器の皿１０の底面の外円周部には突部１５が設けられており、この突部１５に空気流路用として３つの切欠き１６が形成されている。
【００２１】
図２の（ｂ）において、この容器のフタ２０の外周壁２１と内周壁２２との間には、等角度間隔で６つの突部２５が設けられている。この突部２５により、フタ２０を皿１０にしても、空気流路の確保などのために皿１０は完全密閉状態にはならず、皿１０の外周壁１１とフタ２０の内面との接触部分には部分的に隙間が生じる。
【００２２】
この容器の中（皿１０）に液体を入れ、フタ２０を被せた状態で、振動等により中の液体が飛散すると、飛散液はフタ２０の内面や内周壁２２の内面に付着する。その飛散液は内周壁２２の内面を伝わって皿１０に滴下するので、フタ２０の外周壁２１と内周壁２２との間に飛散液が浸入し難い。従って、飛散液が皿１０の外周壁１１とフタ２０の内面との接触部分の隙間からフタ２０の外周壁２１の内面や皿１０の外周壁１１の外面を伝って容器外部に流出し難い。
【００２３】
また、液体を入れた皿１０にフタ２０を被せた状態で、振動（特に横揺れ）により液体に波が生じた場合でも、フタ２０の内周壁２２が防波壁としての作用を発揮するので、波はフタ２０の外周壁２１と内周壁２２との間に浸入し難い。従って、液体が皿１０の外周壁１１とフタ２０の内面との接触部分の隙間から容器外部に流出し難い。
【００２４】
この容器を積み重ねた状態を図４（部分拡大図）に示す。図４では、３個の容器１Ａ，１Ｂ，１Ｃを積み重ねてある。容器１Ｃのフタ２０の凹部２３上に容器１Ｂの皿１０を載せ、同様に容器１Ｂ上に容器１Ａを載せる。このようにすれば、複数個の容器を運ぶのが楽になる。勿論、皿１０がフタ２０の凹部２３に嵌まっているので、多少傾けても容器はずり落ちない。また、前記したように、皿１０の底面の突部１５には空気流路用の切欠き１６が形成されているので〔図１の（ｂ）参照〕、上の容器の皿１０と下の容器のフタ２０とが密着して離れ難くなるようなことはなく、上下の容器を簡単に分離できる。
【００２５】
上記容器は、フタ２０の外周壁２１が皿１０の外周壁１１の中間当たりまで延びているが、この容器では液体漏れが生じ難いので、外周壁２１の長さを短くしてもよい。この例を図５に示す。図５では、フタ２０の外周壁２１′が下方に向かって殆ど延びていない。このような外周壁２１′でもよい。
【００２６】
別実施形態に係る容器のフタ及び皿を図６〔フタの断面図（ａ）、皿の断面図（ｂ）〕に、フタを皿に被せたときの要部拡大断面図を図７に示す。
【００２７】
この容器は、フタ２０は図２の（ａ）と同じであるが、皿１０が外周壁１１と内周壁１２を有する。皿１０の内周壁１２は、外周壁１１と同心円上に設けられており、フタ２０を皿１０に被せたときにフタ２０の内周壁２２の内側に位置する。図７から明らかなように、皿１０の内周壁１２は、フタ２０の内周壁２２と重なり合う程度まで延びている。
【００２８】
この容器では、中に入れた液体が飛散すると、飛散液はフタ２０の内面や内周壁２２の内面に付着する。その飛散液は、内周壁２２の内面を伝わって皿１０（特に外周壁１１と内周壁１２との間）に滴下するので、フタ２０の外周壁２１と内周壁２２との間には飛散液は殆ど浸入しない。これにより、飛散液が皿１０の外周壁１１とフタ２０の内面との接触部分の隙間から容器外部に流出することは殆どない。
【００２９】
また、特に横揺れにより中の液体に波が生じても、皿１０の内周壁１２とフタ２０の内周壁２２が波を打ち消す効果を持つので、皿１０の外周壁１１とフタ２０の内面との接触部分の隙間から横揺れによる液体が容器外部に流出することは殆どない。図６の容器は、液体が非常に流出し難い最も好ましい形態である。
【００３０】
この容器を積み重ねた状態を図８（部分拡大図）に示す。この場合も、複数個（３個）の容器を運ぶのが楽になる。勿論、多少傾けても容器はずり落ちないし、上下の容器も分離し易い。
【００３１】
更に別実施形態に係る容器のフタ及び皿を図９〔フタの断面図（ａ）、皿の断面図（ｂ）〕に、フタを皿に被せたときの要部拡大断面図を図１０に示す。
【００３２】
この容器は、皿１０は図６の（ｂ）と同じであるが、フタ２０が短い外周壁２１′を有する。この容器でも、図６に示す容器と同様の作用効果が得られ、図１１のように複数個（３個）を積み重ねることができる。
【００３３】
ところで、図３に示す実施形態では、フタ２０に内周壁２２を設けてあるが、それに代えて皿１０に内周壁１２を設けてもよい。つまり、皿１０を外周壁１１と内周壁１２の２重壁構造（図示せず）にしてもよい。このときの内周壁１２は外周壁１１の高さの半分程度まで延びているのが好ましい。この場合、液体を皿１０の内周壁１２の内側に入れれば、振動や横揺れ等により内周壁１２を越えた液体は外周壁１１と内周壁１２との間に溜まり、外周壁１１とフタ２０の内面との接触部分の隙間には浸入し難くなり、容器外部への液体漏れが生じ難い。
【００３４】
なお、上記実施形態では、皿１０とフタ２０はいずれも円形であるとしたが、四角形、三角形、多角形等でもよい。また、皿１０に設ける内周壁１２やフタ２０に設ける内周壁２２も、円形である必要はなく、四角形、三角形、多角形等でもよい。すなわち、例えば皿１０の外周壁１１が円形で、内周壁１２が多角形であってもよく、適宜組合せても構わない。勿論、皿１０にフタ２０を被せられることが条件である。
【００３５】
【発明の効果】
以上説明したように、請求項１記載の発明によれば、中に入れた液体が振動により飛散したり、振動（特に横揺れ）により液体に波が生じたりしても、液体が皿の外周壁とフタの内面との接触部分の隙間には浸入し難いので、容器外部への液体漏れが生じ難い。
【００３６】
また、請求項２記載の発明によれば、液体はフタの外周壁と内周壁との間に一層入り難くなり、容器外部への液体漏れが殆ど生じない。
【００３７】
請求項３記載の発明によれば、振動等により皿の内周壁を越えた液体は外周壁と内周壁との間に溜まり、皿の外周壁とフタの内面との接触部分の隙間には浸入し難くなり、容器外部への液体漏れが生じ難い。
【００３８】
更に、請求項４記載の発明によれば、複数個の容器を安全に積み重ねることができ、複数個の容器を運ぶのが楽になる。
【図面の簡単な説明】
【図１】一実施形態に係る容器の皿の断面図（ａ）、及び底面図（ｂ）である。
【図２】同容器のフタの断面図（ａ）、及びその内側から見た平面図（ｂ）である。
【図３】同容器のフタを皿に被せたときの要部拡大断面図である。
【図４】同容器を複数個（３個）積み重ねたときの状態を示す部分拡大図である。
【図５】同容器の変更例に係る容器を複数個（３個）積み重ねたときの状態を示す部分拡大図である。
【図６】別実施形態に係る容器のフタの断面図（ａ）、及び皿の断面図（ｂ）である。
【図７】同容器のフタを皿に被せたときの要部拡大断面図である。
【図８】同容器を複数個（３個）積み重ねたときの状態を示す部分拡大図である。
【図９】更に別実施形態に係る容器のフタの断面図（ａ）、及び皿の断面図（ｂ）である。
【図１０】同容器のフタを皿に被せたときの要部拡大断面図である。
【図１１】同容器を複数個（３個）積み重ねたときの状態を示す部分拡大図である。
【図１２】従来例に係る容器のフタを皿に被せたときの断面図（ａ）、及びそのときの要部拡大断面図（ｂ）である。
【符号の説明】
１（Ａ〜Ｃ）    容器
１０            皿
１１            皿の外周壁
１２            皿の内周壁
２０            フタ
２１            フタの外周壁
２１′          フタの外周壁
２２            フタの内周壁
２３            フタの凹部
【図１】
2004262469.tif 000003
【図２】
2004262469.tif 000004
【図３】
2004262469.tif 000005
【図４】
2004262469.tif 000006
【図５】
2004262469.tif 000007
【図６】
2004262469.tif 000008
【図７】
2004262469.tif 000009
【図８】
2004262469.tif 000010
【図９】
2004262469.tif 000011
【図１０】
2004262469.tif 000012
【図１１】
2004262469.tif 000013
【図１２】
2004262469.tif 000014